(57)【要約】【課題】防水性と吸水性といった相互に相反する素材で表地と裏地とを構成し、さらに、リバーシブルに構成することにより、種々の使い勝手に対応するようにしたリバーシブルポーチを提供する【解決手段】表裏反転可能なリバーシブルポーチ１において、内側の収納部Ｓに物を出し入れするための開口部Ｋを有する袋状のポーチ本体１０と、開口部Ｋを開閉するファスナー２０とを備え、ポーチ本体１０は、相互に相反する特性（防水性と吸水性）のシート状の表地１１と裏地１２とを有するとともに、表地１１と裏地１２とが、ファスナー２０を開けて開口部Ｋを介して表裏反転される、ことを特徴とする。【選択図】図１
2012085689.tif 000002
【特許請求の範囲】
【請求項１】
表裏反転可能なリバーシブルポーチにおいて、
内側の収納部に物を出し入れするための開口部を有する袋状のポーチ本体と、
前記開口部を開閉するファスナーと、を備え、
前記ポーチ本体は、相互に相反する特性のシート状の表地と裏地とを有するとともに、前記表地と前記裏地とが、前記ファスナーを開けて前記開口部を介して表裏反転される、
ことを特徴とするリバーシブルポーチ。
【請求項２】
前記表地と前記裏地とのうちの一方が防水性を有する素材で形成され、他方が吸水性を有する素材で形成されている、
ことを特徴とする請求項１に記載のリバーシブルポーチ。
【請求項３】
前記防水性を有する素材が合成樹脂地であり、前記吸水性を有する素材がタオル地である、
ことを特徴とする請求項２に記載のリバーシブルポーチ。
【請求項４】
前記合成樹脂地が耐熱性を有する、
ことを特徴とする請求項３に記載のリバーシブルポーチ。
【請求項５】
前記ポーチ本体は長方形状に形成され、
前記ファスナーは、前記ポーチ本体の一方の短辺又は一方の長辺に対応して設けられている、
ことを特徴とする請求項１ないし４のいずれか１項に記載のリバーシブルポーチ。
【請求項６】
前記ポーチ本体は長方形状に形成され、
前記ファスナーは、前記ポーチ本体の一方の短辺と一方の長辺とに対応して連続して設けられている、
ことを特徴とする請求項１ないし４のいずれか１項に記載のリバーシブルポーチ。
【請求項７】
前記ポーチ本体は長方形状に形成され、
前記ファスナーは、前記ポーチ本体の一方の短辺と一方の長辺と他方の短辺とに対応して連続して設けられている、
ことを特徴とする請求項１ないし４のいずれか１項に記載のリバーシブルポーチ。
【請求項８】
前記ポーチ本体は、直線部分と外側に凸状の曲線部分とを合成した形状に形成され、
前記ファスナーは、前記ポーチ本体の前記曲線部分に対応して設けられている、
ことを特徴とする請求項１ないし４のいずれか１項に記載のリバーシブルポーチ。
【請求項９】
前記ポーチ本体は、前記ファスナーのエレメントの上止近傍に、閉ループ状の指掛け部を有する、
ことを特徴とする請求項５ないし８のいずれか１項に記載のリバーシブルポーチ。
【発明の詳細な説明】
【技術分野】
【０００１】
本発明は、表地と裏地とを表裏反転して使用することができるリバーシブルポーチに関する。
【背景技術】
【０００２】
従来、種々の防水ポーチが提案され、また、実用化されている（例えば、特許文献１参照）
【０００３】
特許文献１のものは、柔軟性のある材料で形成された外側入れ物の内側に、防水性で柔軟性のある材料で形成された内側ライナーを挿入して、二重構造とし、外側入れ物の上縁部の開口部を開閉する封止手段を設け、また、内側ライナーの上縁部の開口部に嵌合封止手段を設けたものである。これにより、内側ライナーの内部に防水領域を形成し、例えば、雨が降った場合でも、この防水領域に収納したもの（収納物）が濡れないようにしている。
【先行技術文献】
【特許文献】
【０００４】
【特許文献１】特開平７−２６５１１５号公報
【発明の概要】
【発明が解決しようとする課題】
【０００５】
しかしながら、上述の特許文献１のものは、内側ライナーが防水性を有しているため、内側ライナーの内部に収納した収納物が、例えば、雨滴が付着していたり、濡れていたりした場合には、内側ライナーの内部に水がたまったり、収納物が湿ったままになったりするという問題があった。すなわち、収納物は、雨滴等が吸収されることが好ましいにもかかわらず、防水性能のために、却って濡れたままになるという問題があった。
【０００６】
本発明は、上述した事情に鑑みてなされたものであり、例えば、防水性と吸水性といった相互に相反する特性の素材で表地と裏地とを構成し、さらに、表裏反転可能なリバーシブルに構成することにより、種々の使い勝手に対応できるようにしたリバーシブルポーチを提供することを目的とするものである。
【課題を解決するための手段】
【０００７】
請求項１に係る発明は、表裏反転可能なリバーシブルポーチにおいて、内側の収納部に物を出し入れするための開口部を有する袋状のポーチ本体と、前記開口部を開閉するファスナーと、を備え、前記ポーチ本体は、相互に相反する特性のシート状の表地と裏地とを有するとともに、前記表地と前記裏地とが、前記ファスナーを開けて前記開口部を介して表裏反転される、ことを特徴とする。
【０００８】
請求項２に係る発明は、請求項１に係るリバーシブルポーチにおいて、前記表地と前記裏地とのうちの一方が防水性を有する素材で形成され、他方が吸水性を有する素材で形成されている、ことを特徴とする。
【０００９】
請求項３に係る発明は、請求項２に係るリバーシブルポーチにおいて、前記防水性を有する素材が合成樹脂地であり、前記吸水性を有する素材がタオル地である、ことを特徴とする。
【００１０】
請求項４に係る発明は、請求項３に係るリバーシブルポーチにおいて、前記合成樹脂地が耐熱性を有する、ことを特徴とする。
【００１１】
請求項５に係る発明は、請求項１ないし４のいずれか１項に係るリバーシブルポーチにおいて、前記ポーチ本体は長方形状に形成され、前記ファスナーは、前記ポーチ本体の一方の短辺又は一方の長辺に対応して設けられている、ことを特徴とする。
【００１２】
請求項６に係る発明は、請求項１ないし４のいずれか１項に係るリバーシブルポーチにおいて、前記ポーチ本体は長方形状に形成され、前記ファスナーは、前記ポーチ本体の一方の短辺と一方の長辺とに対応して連続して設けられている、ことを特徴とする。
【００１３】
請求項７に係る発明は、請求項１ないし４のいずれか１項に係るリバーシブルポーチにおいて、前記ポーチ本体は長方形状に形成され、前記ファスナーは、前記ポーチ本体の一方の短辺と一方の長辺と他方の短辺とに対応して連続して設けられている、ことを特徴とする。
【００１４】
請求項８に係る発明は、請求項１ないし４のいずれか１項に係るリバーシブルポーチにおいて、前記ポーチ本体は、直線部分と外側に凸状の曲線部分とを合成した形状に形成され、前記ファスナーは、前記ポーチ本体の前記曲線部分に対応して設けられている、ことを特徴とする。
【００１５】
請求項９に係る発明は、請求項５ないし８のいずれか１項に係るリバーシブルポーチにおいて、前記ポーチ本体は、前記ファスナーのエレメントの上止近傍に、閉ループ状の指掛け部を有する、ことを特徴とする。
【発明の効果】
【００１６】
請求項１の発明によれば、ポーチ本体の表地と裏地とを相互に相反する特性のシート状の部材で構成し、さらに、ファスナーを開けた開口部を介して、表裏反転することができるので、相反する特性のシート状の部材を、その状況に応じて表裏反転することにより、種々の使い勝手に対応することができる。
【００１７】
請求項２の発明によれば、リバーシブルポーチは、表地と裏地とのうちの一方が防水性を有する素材で、また、他方が吸水性を有する素材で形成されているので、使用状況に応じて、防水性の素材を表面側に出して表地として使用し、吸水性の素材を裏面側にして裏地として使用することができ、また、この逆に、表裏反転させて、吸水性の素材を表面側に出して表地として使用し、防水性の素材を裏面側にして裏地として使用することもできる。
【００１８】
請求項３の発明によれば、例えば、防水性を有する素材としては、合成樹脂地を採用し、また、吸水性を有する素材としてタオル地を採用することができる。
【００１９】
請求項４の発明によれば、合成樹脂地として、耐熱性を有する素材を使用すれば、例えば、リバーシブルポーチをコースターと使用した場合に、耐熱性の素材の上に、熱い飲み物が入った容器等を置くことができる。
【００２０】
請求項５の発明によれば、ファスナーによって開閉される開口部は、長方形状のポーチ本体の一方の短辺又は一方の長辺に設けられているので、ポーチ本体の２辺や３辺に設けられる場合と比較して、開口部が小さく、その分、ファスナーの全長を短くすることができるとともに、収納部に収納されているものが、ファスナーの開放時に不用意に飛び出したり、落下したりしにくい。
【００２１】
請求項６の発明によれば、ファスナーによって開閉される開口部は、長方形状のポーチ本体の一方の短辺と一方の長辺とに設けられているので、ポーチ本体の１辺に設けられる場合と比較して、ファスナーの開放時には、開口部を大きく開口させて、収納部に対する物の出し入れが容易となり、また、ポーチ本体の３辺に設けられる場合と比較して、開口部が小さく、収納部に収納されているものが、ファスナーの開放時に不用意に飛び出したり、落下したりしにくい。
【００２２】
請求項７の発明によれば、ファスナーによって開閉される開口部は、長方形状のポーチの３辺、すなわちポーチ本体の一方の短辺と一方の長辺と他方の短辺に設けられているので、ポーチ本体の１辺や２辺に設けられる場合と比較して、ファスナーの開放時には、開口部を大きく開口させて、収納部に対する物の出し入れが容易となり、また、ファスナーの全開時には、ポーチ本体をシート状に展開することができるので、例えば、コースターやタオルとしての使用が容易となる。
【００２３】
請求項８の発明によれば、外側に凸状の曲線部分に設けられたファスナーを全開にすることにより、ポーチ本体をその直線部分を中心として展開することができる。例えば、ポーチ本体を、半円形状に形成すると、直線部分が直径に相当し、曲線部分が半円弧に相当し、展開時のポーチ本体を円形とすることができる。
【００２４】
請求項９の発明によれば、閉ループ状の指掛け部は、ファスナーのエレメントの上止め近傍に設けられているので、表裏反転した場合も、また、表裏反転しない場合も、ファスナーを閉じた状態で支障なく使用することができる。
【図面の簡単な説明】
【００２５】
【図１】実施形態１のリバーシブルポーチ１の、ファスナー２０を開放した状態を示す正面図である。
【図２】実施形態１のリバーシブルポーチ１の、ファスナー２０を開放した状態を示す斜視図である。
【図３】実施形態１のリバーシブルポーチ１の、ファスナー２０を開放した状態を示す展開斜視図である。
【図４】実施形態１のリバーシブルポーチ１の、ファスナー２０を開放した状態を示す展開正面図ある。
【図５】実施形態１のリバーシブルポーチ１の、ファスナー２０を開放した状態を示す展開背面図である。
【図６】実施形態２のリバーシブルポーチ２の、ファスナー２０Ａを閉鎖した状態を示す正面図である。
【図７】実施形態２のリバーシブルポーチ２の、ファスナー２０Ａを開放して、ポーチ本体１０Ｃの一部をめくった状態を示す正面図である。
【図８】実施形態２のリバーシブルポーチ２の、表裏を反転してファスナー２０Ａを閉鎖した状態を示す正面図である。
【発明を実施するための形態】
【００２６】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２７】
図１〜図５を参照して、本発明を適用した実施形態１に係るリバーシブルポーチ１について説明する。ここで、図１〜図５は、いずれも、開閉自在なファスナー２０を開放（全開）した状態のリバーシブルポーチ１を示すものであり、図１は正面図、図２は斜視図、図３は展開斜視図、図４は展開正面図、図５は展開背面図である。
【００２８】
リバーシブルポーチ１は、図１，図２に示すように、長方形状に形成されたポーチ本体１０と、ポーチ本体１０の開口部Ｋを開閉するファスナー２０とによって構成されている。
ポーチ本体１０は、図３〜図５に示すように、角の丸い長方形状又は正方形状の２枚のシート状の部材、つまり第１シート状部材１１と第２シート状部材１２とを重ね合わせて構成されている。なお、以下の説明では、第１シート状部材１１が表地として、また、第２シート状部材１２が裏地として使用される場合を主に説明する。なお、第１シート状部材１１と第２シート状部材１２との間に、シート状の適宜な芯材を設けてもよい。
【００２９】
第１シート状部材１１と第２シート状部材１２とは、相互に相反する特性を有するシート状の部材によって形成されている。なお、ここで、第１シート状部材１１，第２シート状部材１２は、薄くて柔軟性のある部材であって、フィルム状の部材や布状の部材も含むものとする。上述の第１シート状部材１１，第２シート状部材１２については、例えば、第１シート状部材１１は、ナイロン，塩化ビニル，ポリエステル等の、防水性を有する合成樹脂素材（合成樹脂地）によって形成され、一方、第２シート状部材１２は、タオル，手ぬぐい等の、吸水性を有する繊維素材（タオル地）によって形成されている。
【００３０】
さらに、図４に示すように、展開状態のポーチ本体１０は、相互に対向する２辺のそれぞれの中点を通る中心線Ｃで２つに折り返すことにより、正面側に配置される正面側部分１０Ａと背面側に配置される背面側部分１０Ｂとを構成する。正面側部分１０Ａは、長方形状に形成されていて、一対の長辺ａ１，ａ２と一対の短辺ａ３，ａ４とを有している。一方、背面側部分１０Ｂは、同様に長方形状に形成されていて、一対の長辺ｂ１，ｂ２と一対の短辺ｂ３，ｂ４とを有している。正面側部分１０Ａの長辺ａ１と背面側部分１０Ｂの長辺ｂ１とは、上述の中心線Ｃに沿って連結されて連結部Ｒを構成し、また、図１に示すように、正面側部分１０Ａの長辺ａ２、短辺ａ３，ａ４と、背面側部分１０Ｂの長辺ｂ２、短辺ｂ３，ｂ４との間には、それぞれ開口部ｋ２，ｋ３，ｋ４が形成されている。つまり、開口部ｋ２は、正面側部分１０Ａ及び背面側部分１０Ｂの一方の長辺ａ２，ｂ２に対応して形成され、開口部ｋ３は、一方の短辺ａ３，ｂ３に対応して形成され、開口部ｋ４は、他方の短辺ａ４，ｂ４に対応して形成されている。これら開口部ｋ２，ｋ３，ｋ４によって構成される開口部Ｋ全体としては、正面側部分１０Ａ及び背面側部分１０Ｂの３辺に対応して、開口部ｋ３，ｋ２，ｋ４の順に連続するように形成されている。開口部Ｋは、ファスナー２０によって開閉される。すなわち、正面側部分１０Ａと背面側部分１０Ｂとの間には、物品を収納する収納部Ｓが形成され、ファスナー２０によって開口部Ｋを開放することで、収納部Ｓに対する物品の出し入れが可能となる。
【００３１】
図１に示すように、ファスナー２０としては、テープ２１と、エレメント２２と、スライダー２３とを有する一般的なものを使用することができる。ファスナー２０は、上述の開口部Ｋの全長にわたって設けられている。すなわち、エレメント２２の下止２２ａが、短辺ａ３，ｂ３における、長辺ａ１，ｂ１側の端部近傍に配置され、エレメント２２の上止２２ｂが、短辺ａ４，ｂ４における、長辺ａ１，ｂ１側の端部近傍に配置されている。スライダー２３は、後述するように、ポーチ本体１０を表裏反転した際にも、ファスナー２０の開閉を可能にするために、テープ２１の表裏双方にそれぞれ引手２３ａを有するいわゆるダブル引手のものが使用されている。なお、これに代えて、テープ２１の表裏に移動可能な１つの引手を有する、いわゆるリバーシブルスライダーを使用してもよい。ファスナー２０は、図１，図２に示す全開状態から、スライダー２３をエレメント２２の下止２２ａからエレメント２２に沿って上止２２ｂまで移動させることにより、つまりポーチ本体１０の短辺ａ３，ｂ３、長辺ａ２，ｂ２、短辺ａ４，ｂ４ｓに沿って移動させることにより、全閉状態とすることができる。
【００３２】
図１〜図５に示すリバーシブルポーチ１においては、ファスナー２０のエレメント２２の上止２２ｂ近傍に、閉ループ状の指掛け部１３が設けられている。リバーシブルポーチ１の使用者は、例えば、この指掛け部１３に指を通すことにより、リバーシブルポーチ１を持ち運びが容易となる。指掛け部１３は、この位置に配置することにより、ポーチ本体１０の第１シート状部材１１と第２シート状部材１２とを表裏反転した場合の、ファスナー２０の全閉状態においても、反転しない場合と同様に支障なく使用することが可能となる。
【００３３】
以上構成のリバーシブルポーチ１は、第１シート状部材１１と第２シート状部材１２とが、相互に相反する特性のシート状の部材、具体的には、第１シート状部材１１が防水性のシート状部材、第２シート状部材１２が吸水性のシート状部材によって構成されており、さらに、第１シート状部材１１と第２シート状部材１２とを表裏反転させることが可能であるので、使用状況に応じて、種々の使い勝手が可能となる。
【００３４】
まず、図４，図５に示すように、ファスナー２０を全開とし、さらに、ポーチ本体１０を展開状態とした場合には、ポーチ本体全体が１枚のシート状となる。例えば、図４に示すように、防水性を有する第１シート状部材１１を上向きにして、全体を、テーブルや机に置けば、コースターとして使用することができる。この場合、例えば、冷えた飲み物が入った缶やペットボトルの表面に付着した水滴が、テーブルや机に付着することを防止することができる。さらに、第１シート状部材１１を耐熱性の合成樹脂によって形成した場合には、コーヒーや紅茶等の熱い飲み物を置くコースターとしても使用することが可能である。一方、図５に示すように、吸水性を有する第２シート状部材１２を使用して、小さなタオルとして、ハンカチ等の代用として使用することができる。
【００３５】
つづいて、図１，図２に示すように、防水性を有する第１シート状部材１１を表地（表側）にして、リバーシブルポーチ１を構成する場合には、この第１シート状部材１１により、内側の収納部Ｓに収納したものが雨等によって濡れることを防止できる。また、一旦、雨等によって濡れてしまった物を収納部Ｓに収納すれば、収納部Ｓは、吸水性の第２シート状部材１２で囲まれていて、水分が第２シート状部材１２によって吸収されるため、次に物を収納部Ｓから取り出した際には、水滴等がなくなった状態で物を取り出すことができる。
【００３６】
これらにより、例えば、冷蔵庫から取り出した直後のペットボトルを収納するのに便利である。冷蔵庫から取り出した冷えたペットボトルの周囲には、直ちに水滴が付着するが、これをリバーシブルポーチ１の収納部Ｓに収納すれば、水滴は第２シート状部材１２に吸収されるので、ペットボトルは、収納部Ｓから取り出した際には、表面に水滴が付着しておらず、このため、ペットボトルを握った手に水滴等が付着するおそれがない。
【００３７】
次に、リバーシブルポーチ１は、開口部Ｋの少なくとも一部を開放することにより、表裏反転することが可能である。これにより、これまで、表地として表側を構成していた防水性の第１シート状部材１１が裏側に配置されて裏地となり、逆に、これまで、裏地として裏側を構成していた吸水性の第２シート状部材１２が表側に配置されて表地を構成する。この場合、リバーシブルポーチ１の表面側を簡単なタオルとして代用することができるので、例えば、すでに濡れてしまった物を、収納部Ｓに収納する際に、この物を吸水性の第２シート状部材１２で構成された表地で拭いて水滴等を除去し、その後、収納部Ｓに収納する。これにより、裏地としての防水性の第１シート状部材１１で囲まれた収納部Ｓ内に、水気が不要に溜まったりすることを有効に防止することができる。
【００３８】
以上の説明では、開口部Ｋを開閉する開閉具が、一般的なファスナー２０である場合を例に説明したが、開閉具として、これに代えて、面ファスナーや、さらには、ボタンを使用することも可能である。開口部Ｋを有効に開閉するとともに、第１シート状部材１１と第２シート状部材１２との表裏反転に支障をきたさない限り、任意の開閉具を使用することが可能である。
【００３９】
また、以上の説明では、相反する特性の第１シート状部材１１と第２シート状部材１２の例として、防水性のシート状部材と吸水性のシート状部材とを例に説明したが、これに限定されるものではない。例えば、第１シート状部材１１と第２シート状部材１２との一方を柔らかい肌触りの良い布で形成し、他方をこれよりも硬い丈夫な布で形成することができる。この場合には、例えば、収納部Ｓに傷がつきやすい物を収納する際には、柔らかい肌触りの良い布を裏地として使用し、一方、使用者がポーチ本体１０を直接、手で持って使用するような場合には、表裏反転して、この柔らかい肌触りの良い布を表地として使用するとよい。
【００４０】
さらに、相反する特性の第１シート状部材１１と第２シート状部材１２との組み合わせとしては、性状だけでなく、デザイン的に相反する特性とすることもできる。例えば、第１シート状部材１１と第２シート状部材１２のうちの、一方を縦縞とし、他方と横縞としたり、一方を白色とし、他方を黒色としたりしてもよい。
＜実施形態２＞
【００４１】
図６〜図８を参照して、本発明を適用した実施形態２に係るリバーシブルポーチ２について説明する。ここで、図６は、ファスナー２０Ａを閉鎖した状態のリバーシブルポーチ２の正面図である。図７は、ファスナー２０Ａを開放し、ポーチ本体１０Ｃの一部をめくった状態のリバーシブルポーチ２を示す正面図である。図３は、ポーチ本体１０Ｃを表裏反転して、ファスナー２０Ａを閉鎖した状態のリバーシブルポーチ２の正面図である。
【００４２】
なお、図６〜図８に示すリバーシブルポーチ２において、上述の図１〜図５を参照して説明した実施形態１のリバーシブルポーチ１と同様の構成の部分については、同様の符号を付して適宜、説明を省略し、以下では、主に、実施形態１のリバーシブルポーチ２とは異なる部分について説明する。
【００４３】
本実施形態２のリバーシブルポーチ２は、上述の実施形態１のリバーシブルポーチ１が、長方形状の３辺に対応してファスナー２０が設けられていたのとは異なり、２辺に対応してファスナー２０Ａが設けられている。以下、詳述する。
【００４４】
リバーシブルポーチ２は、図６〜図８に示すように、ポーチ本体１０Ｃと、ファスナー２０Ａとを備えた構成されている。
【００４５】
ポーチ本体１０Ｃは、上述のリバーシブルポーチ１０のポーチ本体１０と同様、表地、裏地として、第１シート状部材１１と第２シート状部材１２と重ね合わせて構成されており、長方形状の、正面側に位置する正面側部分１０Ａと裏面側に位置する裏面側部分１０Ｂとを有している。正面側部分１０Ａは、長辺ａ１，ａ２、短辺ａ３，ａ４を有しており、裏面側部分１０Ｂは、これらに順に対応する長辺ｂ１，ｂ２、短辺ｂ３，ｂ４を有している。長辺ａ１と長辺ｂ１とは、連結して連続部Ｒを形成し、さらに、短辺ａ３と短辺ｂ３とは、例えば、縫合されることで連結されている。これにより、長辺ａ２と長辺ｂ２との間に開口部ｋ２が形成され、また、短辺ａ４と短辺ｂ４との間に開口部ｋ４が形成されており、これら開口部ｋ２，ｋ４によって開口部Ｋ全体を構成している。このように、開口部Ｋは、長方形状のポーチ本体１０Ｃの２辺、すなわち、一方の長辺ａ２，ｂ２と一方の短辺ａ４，ｂ４との間に形成されている。そして、この２辺に対応する開口部Ｋに、ファスナー２０Ａが設けられている。ただし、図６〜図８に示すように、ファスナー２０Ａは、下止２０ａ側の一部が、他方の短辺ａ３，ｂ３の位置に入り込むように設けられている。これは、図７に示すように、ファスナー２０Ａの開放時にスライダー２３が短辺ａ３，ｂ３に位置するようにして、開口部ｋ４，ｋ２が大きく完全に開口するようにするためである。
【００４６】
本実施形態のリバーシブルポーチ２は、ファスナー２０Ａによって開閉される開口部Ｋは、長方形状のポーチ本体１０Ｃの一方の短辺ａ４，ｂ４と一方の長辺ａ２，ｂ２とに設けられているので、上述の実施形態１の、開口部Ｋが３辺に設けられているリバーシブルポーチ１と比較して、開口部Ｋが小さく、収納部Ｓに収納されているものが、ファスナー２０Ａの開閉時に不用意に飛び出したり、落下したりしにくく、また、後に実施形態３で説明するリバーシブルポーチ（ポーチ本体の１辺にファスナーが設けられる場合）と比較して、ファスナー２０Ａの開放時には、開口部Ｋを大きく開口させて、収納部Ｓに対する物の出し入れを容易とすることができる。
＜実施形態３＞
【００４７】
本実施形態に係るリバーシブルポーチ（不図示）では、長方形状のポーチ本体に対して、その一方の短辺ａ４，ａ５（図６参照）にのみ開口部ｋ４を設けて、これにより開口部Ｋ全体を構成している。つまり、開口部ｋ４がそのまま開口部Ｋ全体に相当する。本実施形態によれば、開口部Ｋの大きさを最小限にすることにより、ポーチ本体の３辺（実施形態１のリバーシブルポーチ１）や２辺（実施形態２のリバーシブルポーチ２）に設けられる場合と比較して、ファスナーの全長を短くすることができるとともに、収納部Ｓに収納されているものが、ファスナーの開閉時に不用意に飛び出したり、落下したりしにくくすることができる。なお、本実施形態においても、開口部Ｋの一部が、長辺ａ２，ｂ２の一部に係るようにして、ファスナーを開放した際に、開口部Ｋが完全に開口されるようにするとよい。
＜実施形態４＞
【００４８】
以上の実施形態１〜３では、ポーチ本体の形状が長方形状である場合を例に説明したが、その形状は、長方形状に限らず、他の任意の形状とすることもできる。例えば、半円状に形成して、その直径に対応する部分（直線部分）を正面側部分と裏面側部分と連結部とし、残りの、外側に凸状の円弧に対応する部分（曲線部分）を開口部として、ここにファスナーを取り付けるようにしてもよい。この場合には、ファスナーの全開状態で、かつポーチ本体の展開状態においては、全体を円形とすることができ、例えば、円形のコースターとして便宜に使用することができる。
【符号の説明】
【００４９】
１，２  リバーシブルポーチ
１０，１０Ｃ  ポーチ本体
１１  表地
１２  裏地
２０，２０Ａ  ファスナー
ａ１，ｂ１  他方の長辺
ａ２，ｂ２  一方の長辺
ａ３，ｂ３  一方の短辺
ａ４，ｂ４  他方の短辺
Ｓ  収納部
Ｋ，ｋ２，ｋ３，ｋ４  開口部
【図１】
2012085689.tif 000003
【図２】
2012085689.tif 000004
【図３】
2012085689.tif 000005
【図４】
2012085689.tif 000006
【図５】
2012085689.tif 000007
【図６】
2012085689.tif 000008
【図７】
2012085689.tif 000009
【図８】
2012085689.tif 000010